(57)【要約】      （修正有）【課題】ノート型パーソナルコンピューターの操作時に於いては、キーボード上を書見台として使用でき、不必要の時は直ちにキーボードの入力操作が出来るキーボードカバーを提供する。 【解決手段】ノート型パーソナルコンピューターのキーボード部分の左右どちらかの側面にキーボードカバーＡをコの字型のクリップ２と３でキーボードに挟みながら挿し込み固定する。キーボードカバーには、プレート１が回転部の外側軸４１に固着しており書見台として設定の場合は、プレートをキーボードの上に重ね、キーボード操作時には、プレートをスタンド５まで起こして操作する事が出来る。プレートにはペーパークリップ１１を設けており、書類を止める事が出来る。またキーボードカバーにはスタンド穴２１が設けられ、スタンド５を簡単に取り外す事が出来る。【選択図】図１
0003186672.tif 000002
【実用新案登録請求の範囲】
【請求項１】
プレート１、クリップ２と３、長尺状の回転部４から構成され、回転部４は、外側軸４１と、同芯の内側軸４２からなり、外側軸４１は、プレート１の一端面に固着し、内側軸４２に対して回動可能で、回転部４の内側軸４２は、外側軸４１より延伸してクリップ２と３の内側上部に固着する構成で、クリップ２と３をノート型パソコンの側部に挟みながら挿しこみ固定し、プレート１をキーボード側に倒して重ねる事で書見台になり、プレート１をキーボードから開く事で、キーボードの入力操作が可能となるようにした事を特徴とするキーボードカバー。
【考案の詳細な説明】
【技術分野】
【０００１】
本考案は、ノートパソコンを操作時に於いて必要な時、キーボード上を書見台として書いたり写したりの作業ができ、不必要の時は、キーボードカバーを上げると、直ちに入力操作が出来てキーボードの防塵にもなる、キーボードカバーに関する。                  
【背景技術】
【０００２】
本考案はパーソナルコンピューターの操作時において、とくにノート型パーソナルコンピューターではキーボードと画面が一体となっているため、キーボードをずらして、書類を書くための、机上の空き範囲を得ることができない。                              
【考案の概要】
【考案が解決しようとする課題】
【０００３】
本考案は、机上の占有範囲の書類を確保して、容易に持ち運びが出来て入力線、出力線、記録媒体、等もその儘の状態で設置も簡単、キーボードの上を書見台として使用できて図を書いたり写したり、又キーボードを使うときは、即座に入力操作が出来て、防塵にもなることを目的とする。
【課題を解決するための手段】
【０００４】
本考案のキーボードカバーはプレート１、クリップ２と３、長尺状の回転部４から構成され、回転部４は、外側軸４１と、同芯の内側軸４２からなり外側軸４１は、プレート１の一端面に固着して、回転部４の内側軸４２は外側軸４１より延伸してフック２と３に固着し、プレート１が、クリップ２と３に対して回転可能となり回動できる。クリップ２と３をノート型パソコンの側部に挿入して挟みこみ固定し、プレート１をキーボードの上に倒して重ねる事で書見台になり、プレート１をキーボードから開く事で、キーボードの入力操作が可能となるようにしたことを特徴とする  キーボードカバー。
【０００５】
本考案のキーボードカバーＡのクリップ２と３の内側上部に固着した回転部４の内側軸４２の内径スタンド穴２１と３１に側面視、Ｌ字型のスタンド５の両端を挿しこむ事によりスタンド５を取り付け、設定するようにしたことを特徴としたキーボードカバー。
【考案の効果】
【０００６】
本考案はノート型パーソナルコンピューターの操作時に於いてキーボード上を書見台として書いたり写したりの作業ができ、不必要の時は直ちに入力操作が出来、又、防塵にもなる事に役立つキーボードカバーを提供する。
【図面の簡単な説明】
【０００７】
【図１】本考案のキーボードカバーの使用図（入力時）
【図２】本考案のキーボードカバーの使用図（書見台）
【図３】本考案のキーボードカバーの本体構成図（斜視図）
【図４】本考案のキーボードカバーのクリップ部（斜視図）
【考案を実施するための形態】
【０００８】
本考案は、入力線、出力線、記録媒体、等そのままの状態で簡単に取り付け取り外しが出来て、ノート型パーソナルコンピューターのキーボードの上を書見台として使う事が出来る、キーボードカバーである。                  
【０００９】
図１は本考案のキーボードカバーの使用図（入力時）、図２は本考案のキーボードカバーの使用図（書見台）、図３は本考案のキーボードカバーの本体構成図（斜視図）、図４は本考案のクリップ部（斜視図）を示す。                    
【００１０】
本考案のキーボードカバーＡを、ノート型パーソナルコンピューターの両側面どちらかにキーボードカバーＡのコの字型のクリップ２と３でキーボード側面を挟みながら挿し込み固定し、キーボードカバーＡのプレート１をキーボードの上に倒すと書見台になり、キーボードを操作する場合は、プレート１を上方向に開いて、スタンド５まで起こして、ほぼ垂直に立てることでキーボードの上が空き、キーボードを操作できるようにした。キーボードカバーＡから、スタンド５を、簡単に取り外す事も出来、仰角度を調整する事も出来る。又、プレート１をキーボードの上に倒した時の衝撃とキー上との隙間を保つ為のパッド１２を設ける。
【００１１】
本考案のキーボードカバーＡは、プレート１、クリップ２と３、回転部４から構成され、クリップ２と３は、パソコンの側面を挟めるように、クリップにしたコの字状で、回転部４は、中空の外側軸４１と、それに挿入した同芯の内側軸４２からなり、外側軸４１は、内側軸４２に対して回動可能で、内側軸４２は外側軸より延伸して、クリップ２と３の内側上部に固着され、外側軸４１は、プレート１の一端面に固着して、プレート１はクリップ２と３に対して回転可能とする構成である。又、キーボードの防塵にもなり、プレート１には用紙を挟むペーパークリップ１１を備えている。
【００１２】
本考案のキーボードカバーＡのスタンド５を、側面視、Ｌ字型で、Ｌ字型の下部の両端をクリップ２と３のスタンド穴２１と３１に挿入して設定する事が出来る
【００１３】
本考案のキーボードカバーＡの使用方法を説明する、本考案のキーボードカバーＡのコの字型のクリップ２と３で、キーボードの左右どちらかの側面を挟みながら挿しこみ固定する、プレート１をキーボードに倒して重ねることで書見台になり、プレート１をキーボードから開いて上に起こしてスタンド５に立てかけると、キーボードの入力操作が可能となる、プレート１をキーボードの上に倒した時の衝撃とキー上の隙間を保つ為のパッド１２を設けてあり、又、プレート１には、ペーパークリップ１１が設けて有るのでプレート１から書類は落ちない、スタンド穴２１と３１から容易にスタンド５を取り外す事も出来る
【符号の説明】
【００１４】
Ａ    キーボードカバー    
１    プレート  
１１    ペーパークリップ
１２    パッド
２    クリップ  
２１    スタンド穴                                                      
３    クリップ
３１    スタンド穴
４    回転部  
４１    外側軸
４２    内側軸
５    スタンド
【図１】
0003186672.tif 000003
【図２】
0003186672.tif 000004
【図３】
0003186672.tif 000005
【図４】
0003186672.tif 000006